(57)【要約】【課題】ある場所のオーディオ装置で作成されたプレイリストを、外部に持出可能として、他の場所で楽曲を再生させることが可能なオーディオ装置を提供することを目的としている。【解決手段】複数の楽曲が記憶された第１内蔵記憶媒体４および装置に着脱可能な外部記憶媒体５と、これらに記憶された複数の楽曲から、設定された条件に従って選択して、その再生順序のリストであるプレイリストを作成するプレイリスト作成処理、および前記プレイリストに従って音楽の再生を行うプレイリスト再生処理を実行可能なＣＰＵ７と、を備えたオーディオ装置であって、ＣＰＵ７が、第１内蔵記憶媒体４に記憶されたプレイリストに関する情報を、外部記憶媒体５に書き込む情報持出処理を実行するようにした。【選択図】図１
2008077745.tif 000002
【特許請求の範囲】
【請求項１】
複数の楽曲が記憶された記憶手段と、
この記憶手段に記憶された複数の楽曲から、設定された条件に従って選択して、その再生順序のリストであるプレイリストを作成するプレイリスト作成処理、および前記プレイリストの再生順序に従って音楽の再生を行うプレイリスト再生処理を実行可能な制御手段と、
を備えたオーディオ装置であって、
前記記憶手段として、装置に内蔵された内蔵記憶手段と、装置に着脱可能な外部記憶手段と、を備え、
前記制御手段が、前記内蔵記憶手段に記憶されたプレイリストに関する情報を、外部記憶手段に書き込む情報持出処理を実行することを特徴とするオーディオ装置。
【請求項２】
車両に搭載されていることを特徴とする請求項１に記載のオーディオ装置。
【請求項３】
前記情報持出処理で、前記外部記憶手段に書き込まれる情報が、前記楽曲の再生用データとは別の、この楽曲が元々記憶されていた記憶媒体の情報書込領域に記憶されていた目次情報と、楽曲の再生用データに与えられている親フォルダ名およびファイル名に関する情報と、楽曲の再生用データ以外に付属して与えられている付属情報と、の少なくとも１つを含む情報であることを特徴とする請求項１または請求項２に記載のオーディオ装置。
【請求項４】
前記制御手段が、前記プレイリスト作成処理において、車両走行時の車両周辺情報に基づいてプレイリストを作成する機能を有し、かつ、前記プレイリストに関する情報として、プレイリスト作成時の前記車両周辺情報が含まれていることを特徴とする請求項２または請求項３に記載のオーディオ装置。
【請求項５】
前記プレイリストに関する情報として、走行区域の画像データが含まれていることを特徴とする請求項４に記載のオーディオ装置。
【請求項６】
複数の楽曲が記憶された記憶手段と、
この記憶手段に記憶された複数の楽曲の再生を行う再生処理を実行可能な制御手段と、
を備えたオーディオ装置であって、
前記制御手段が、請求項１〜５に記載の外部記憶媒体に記憶されたプレイリストに関する情報を読み込む読込処理と、読み込まれたプレイリストに関する情報と前記記憶手段に記憶された楽曲とを照合する照合処理と、照合により一致した楽曲の再生順序のリストである外部プレイリストを作成する外部プレイリスト作成処理と、前記外部プレイリストに従って楽曲の再生を行う外部プレイリスト再生処理と、を実行することを特徴とするオーディオ装置。
【請求項７】
前記照合処理において、プレイリストに関する情報に一致する楽曲が無かった場合に、一致しないプレイリストの楽曲を示す情報を表示手段により表示する不一致表示処理を実行することを特徴とする請求項６に記載のオーディオ装置。
【請求項８】
前記読取処理により読み込んだプレイリストに関する情報に画像データが含まれているか否か判定し、画像データが含まれている場合には、画像データを表示手段により表示させる画像表示処理を実行することを特徴とする請求項６または請求項７に記載のオーディオ装置。
【請求項９】
請求項６に記載の読込処理、照合処理、外部プレイリスト作成処理、外部プレイリスト再生処理を実行するためのプログラムを記録したコンピュータ読取可能な記録媒体。
【請求項１０】
請求項７および／または請求項８に記載の表示処理を実行するためのプログラムを記録した請求項９に記載のコンピュータ読取可能な記録媒体。
【請求項１１】
前記請求項１に記載の前記情報持出処理を実行するためのプログラムを記憶したコンピュータ読取可能な記録媒体。
【発明の詳細な説明】
【技術分野】
【０００１】
本発明は、再生順序リスト（以下、これをプレイリストという）を作成し、このプレイリストの順序に従って、記憶手段に記憶された楽曲を順に再生する機能を有したオーディオ装置およびこのオーディオ装置作動用のプログラムを記憶したコンピュータ読取可能な記録媒体に関する。
【背景技術】
【０００２】
近年の車載オーディオは、ハードディスクやフラッシュメモリといった大容量の記憶媒体(内蔵記憶媒体と呼ぶこととする)を有しており、ＣＤなどの音源を、圧縮手段（例えば、ＭＰ３、ＷＭＡ、ＡＡＣ、ＡＴＲＡＣ３などの手法）を用いてデータ圧縮し記憶媒体に保存することで、膨大な曲数の音楽データが記憶できる。
また、ＳＤカードやメモリースティック、あるいはＵＳＢ接続できる携帯オーディオといった、大容量の外部記憶媒体を接続して再生できるオーディオ装置も知られている。
【０００３】
そこで、このような大容量の記憶媒体に記憶された楽曲を再生するのにあたり、全曲を順番に再生するのではなく、運転コースや時間あるいはユーザのそのときの気分などに応じて設定されたプレイリストの順番に従って選択された楽曲を再生するオーディオ装置が知られている。
【０００４】
このようなオーディオ装置としては、ユーザがオーディオ装置を操作して、プレイリストを作成するものがあるが、さらに、ユーザの操作の煩わしさを軽減するために、入力条件に応じてオーディオ装置がプレイリストを自動的に作成するものが知られている。
【０００５】
このように、オーディオ装置がプレイリストを作成するものとしては、ユーザの嗜好に合わせて楽曲を読み出すようにしたオーディオ装置（例えば、特許文献１参照）や、自車両の走行位置や、走行時の天気あるいは季節などの車両周辺情報に基づいてプレイリストを作成する装置（例えば、特許文献２参照）が知られている。
【特許文献１】特開２００５−２８５２８５号公報
【特許文献２】特開２００１−３２４３３５号公報
【発明の開示】
【発明が解決しようとする課題】
【０００６】
しかしながら、上述の従来技術は、車載のオーディオ装置で作成されたプレイリストを車外に持ち出す機能を有していなかった。
このため、ユーザが、運転中に聴いて気に入ったプレイリストを車外（例えば、自宅）で聴きたいと思った場合、ユーザは、車載オーディオに表示された曲順をメモし、このプレイリストを、自宅のオーディオ装置あるいはパーソナルコンピュータなどを用いて、改めてメモを見ながら作成しなければならなかった。
このように、車両内でプレイリストを書き出す作業は、机上の作業に比べてはるかに面倒であるし、さらに、自宅で再度プレイリストを作成する必要があり、これらの作業が非常に面倒であった。
【０００７】
また、自宅のオーディオ装置あるいはパーソナルコンピュータなどを用いて、車載オーディオ装置と同じ設定条件でプレイリストを作成することが考えられるが、特許文献２に記載された技術のように、地域情報・天候情報・時間情報・車速情報などの車両周辺情報に基づいて作成されたプレイリストの場合、車外で同じプレイリストを再現するのが困難である。
【０００８】
本発明は、上述の問題点に着目してなされたもので、ある場所で作成されたプレイリストを外部に持出可能として、他の場所で同様のプレイリストに従って楽曲を再生させることが可能なオーディオ装置およびその作動用のプログラム記録媒体を提供することを目的としている。
【課題を解決するための手段】
【０００９】
上述の目的を達成するために、本発明は、記憶手段に記憶された複数の楽曲から、設定された条件に従って選択して、その再生順序のリストであるプレイリストを作成するプレイリスト作成処理、および前記プレイリストの再生順序に従って音楽の再生を行うプレイリスト再生処理を実行可能な制御手段を備えたオーディオ装置であって、前記記憶手段として、装置に内蔵された内蔵記憶手段と、装置に着脱可能な外部記憶手段と、を備え、前記制御手段が、前記内蔵記憶手段に記憶されたプレイリストに関する情報を、外部記憶手段に書き込む情報持出処理を実行することを特徴とするオーディオ装置とした。
【発明の効果】
【００１０】
本発明では、オーディオ装置で作成したプレイリストを外部に持ち出す場合、制御手段に情報持出処理を実行させる。この情報持出処理により、内蔵記憶手段に記憶されたプレイリストに関する情報が、オーディオ装置に接続された外部記憶手段に書き込まれる。なお、 この場合、プレイリストの楽曲データではなく、プレイリストに関する情報であるので、書き込みに要する時間が長くならないようにできる。
【００１１】
そして、この外部記憶手段を、他のオーディオ装置に接続し、書き込まれたプレイリストに関する情報を他のオーディオ装置で読み込むことで、プレイリストに沿った再生が可能となる。
【００１２】
このように、本発明では、プレイリストに関する情報を、外部記憶手段に書き込むようにしたため、手書きでリストを作成する面倒な作業無しに、プレイリストを作成したオーディオ装置とは異なるオーディオ装置で、好きなプレイリストに沿った再生を実行させることが可能となる。
しかも、外部記憶手段に書き込ませるのは、楽曲データではなく、プレイリストに関する情報であるため、書き込みに要する時間を短くできるとともに、著作権を侵害することもない。
【発明を実施するための最良の形態】
【００１３】
以下、本発明のオーディオ装置を実現する最良の形態を、図面に示す実施例に基づいて説明する。
【実施例１】
【００１４】
図１〜図７に基づいて本発明の最良の実施の形態の実施例１のオーディオ装置Ａについて説明する。
【００１５】
まず、実施例１のオーディオ装置Ａの構成を説明する。
この実施例１のオーディオ装置Ａは、車載されたものであって、図１に示すように、入力部１、表示部２、ディスクドライブ３、第１内蔵記憶媒体４、外部記憶媒体５、第２内蔵記憶媒体６、ＣＰＵ７、ＲＯＭ８、ＲＡＭ９、音楽再生部１０、車両周辺情報取得部１１を内部バス１２で接続して構成されている。
【００１６】
入力部は１、図示を省略したボタンやタッチパネルなどを備え、ユーザからの入力をＣＰＵ７へ伝達する。
【００１７】
表示部２は、液晶モニタ（Liquid Crystal Display）などのディスプレイ装置で構成され、ＣＰＵ７による制御に基づいて表示を行う。
【００１８】
ディスクドライブ３は、ＣＤ（Compact Disc）やＤＶＤ（Digital Versatile Disk）を再生する部分であって、ＣＰＵ７からの制御で図外のスピンドルモータがディスクを回転させ、ピックアップが目的とするアドレスに移動することで目的とする曲のデータを読み取る。また、ＣＤの音楽を録音する際には、読み取った曲のデータは、圧縮手段（例えば、ＭＰ３、ＷＭＡ、ＡＡＣ、ＡＴＲＡＣ３などの手法）を用いてデータ圧縮され第１内蔵記憶媒体４に保存されるものとする。
【００１９】
第１内蔵記憶媒体（内蔵記憶手段）４は、ハードディスク（hard disk）やフラッシュメモリといった大容量の媒体で構成され、オーディオ装置Ａに内蔵されたものを指しており、ＣＤなどから録音した圧縮データおよびプレイリストを保存する部分である。
【００２０】
外部記憶媒体（外部記憶手段）５は、図示を省略したＳＤメモリカードやメモリースティック、あるいはＵＳＢ（Universal Serial Bus）による接続が可能な携帯オーディオなどの媒体で構成され、オーディオ装置Ａへの着脱が可能となっている。
なお、オーディオ装置Ａには、この外部記憶媒体５との通信を可能とするインタフェース装置１３が内蔵されている。このインタフェース装置１３は、例えば、ＳＤカードを接続する機器であればＳＤカードソケットであり、ＵＳＢタイプの携帯オーディオを接続する機器であればＵＳＢインタフェースである。
【００２１】
第２内蔵記憶媒体６は、後述する車両周辺情報との関連付けに利用される画像データベース用の記憶媒体である。
【００２２】
ＣＰＵ（Central Processing Unit）７は、オーディオ装置Ａの主制御を行う部分であって、入力部１の入力に応じてディスクドライブ３、第１内蔵記憶媒体４および外部記憶媒体５のトラック（楽曲）の録音や再生や停止を実行させる部分である。また、後述するが、外部記憶媒体５へプレイリスト情報の書き込みを行う情報取出処理を実行する部分でもある。
【００２３】
ＲＯＭ（Read Only Memory）８は、ＣＰＵ７が動作するためのプログラムを保存しておく部分であり、ＣＰＵ７の起動時にこのプログラムが読み出される。
ＲＡＭ（Random Access Memory）９は、一時的なデータを保存する部分である。
【００２４】
音楽再生部１０は、図示を省略したＤ／Ａ変換部とアンプ部とスピーカを備え、ディスクドライブ３、第１内蔵記憶媒体４、外部記憶媒体５から読み取った再生用の音楽データをＤ／Ａ変換および信号増幅を行ってスピーカに出力する。
【００２５】
車両周辺情報取得部１１は、後述するプレイリスト作成時に、自車位置情報、日時情報、天気情報を取得する部分である。
なお、自車位置情報は、図外のＧＰＳ（Global Positioning System）から得られるＧＰＳ信号を受信し、さらに、内部バス１２を介して得られる車速パルスとジャイロセンサによる自律航法を併用して自車位置を取得している。
また、日時情報は、ＧＰＳ信号から取得した現在時刻を用いている。
また、天気情報は、本実施例１では、図示を省略した空調装置のセンサから得られる気温、湿度、照度などから現在の天気を割り出して取得している。
【００２６】
これらの車両周辺情報は、図２に示すような自車位置情報、日時情報、天気情報の項目を有したデータベースとして第１内蔵記憶媒体４に記憶される。また、車両周辺情報は、後述するプレイリストＰＬに関連付けられて記憶されており、この図２は、００１〜００５の５個のプレイリストＰＬが存在している場合の例を示している。なお、オーディオ装置Ａで作成したプレイリストＰＬを、後述の外部機器Ｂで作成したプレイリスト（外部プレイリスト）と区別するために、以下、オリジナルプレイリストと称する。
【００２７】
ここで、オリジナルプレイリストＰＬについて説明する。
なお、このオリジナルプレイリストＰＬ自体およびその作成手順は、本願の要旨とするものではないので、簡単に説明する。
【００２８】
本実施例１では、ＣＰＵ７は、従来技術で示したように、オリジナルプレイリストＰＬを、ユーザの設定情報に基づいて作成する第１のプレイリスト作成処理と、車両周辺情報に基づいて作成する第２のプレイリスト作成処理とを実行するものとする。
【００２９】
まず、ユーザの設定情報に基づいて作成する第１のプレイリスト作成処理の一例を説明すると、ユーザは、そのときの気分などに応じて、入力部１を操作して１または複数のキーワード情報を入力する。このキーワード情報は、例えば、ロック、ポップス、演歌などの曲種や、アップやスローなどのテンポや、５０年代、６０年代、７０年代などの録音された時期などとすることができる。そこで、ＣＰＵ７は、このキーワード情報に基づいて、第１内蔵記憶媒体４および外部記憶媒体５において、楽曲データと一緒に記憶されているＴＯＣ（Table of contents）情報、フォルダおよびファイル名、ＴＡＧ情報などを検索して、１または複数の情報が一致するものを選択してオリジナルプレイリストＰＬを作成する。
【００３０】
なお、ＴＯＣ情報は、録音したＣＤの最内周部分の情報書き込み領域に書き込まれた楽曲目次情報のことで、ＣＤの総曲数、時間などが記録されている。そこで、本実施例１では、このＴＯＣ情報から、総曲数、総再生時間およびプレイリストに登録された曲番号を使用するものとする。
親フォルダ名およびファイル名は、圧縮オーディオで保存されている親フォルダの名前と圧縮オーディオ自体のファイル名のことである。
ＴＡＧ名は、圧縮オーディオのヘッダ部に書き込まれた曲情報のことで、ここで使用するのはアルバム名、演奏者名、タイトル名とする。
【００３１】
また、親フォルダ名およびファイル名、ＴＡＧ名は、オーディオ装置Ａが持つデフォルト名をそのまま使用したり、通信手段を用いてインターネット上の楽曲データベース(ＣＤＤＢなど)からデータを取得したり、操作部からのマニュアル入力などで取得したりできるものとする。
【００３２】
次に、オリジナルプレイリストＰＬを車両周辺情報に基づいて作成する第２のプレイリスト作成処理の一例について説明する。この処理は、車両周辺情報取得部１１に取得された車両周辺情報に基づいて作成するものであり、この場合、走行地点に関する情報や天候に関する情報や暦あるいは時間などをキーワードとしてプレイリストを作成する。走行地点に関する情報のキーワードとしては、例えば、山、川、海、都市などが挙げられる。また、天候に関するキーワードとしては、晴れ、雨、曇り、雪、台風などが挙げられる。また、暦や時間に関する情報のキーワードとしては、春夏秋冬、曜日、誕生日、朝、昼、夕暮れ、深夜などが挙げられる。
【００３３】
このように第２のプレイリスト作成オリジナルプレイリストＰＬを作成する。
【００３４】
なお、第２内蔵記憶媒体６には、車両周辺情報との関連付けに利用される画像データが記憶されている。この画像データは、ランドマーク画像、時間や季節に関連した画像、天気に関連した画像などである。
【００３５】
そこで、本実施例１では、この車両周辺情報に基づいてオリジナルプレイリストＰＬを作成した際に、そのプレイリスト作成時の車両周辺情報に一致する画像が存在する場合には、各オリジナルプレイリストＰＬ毎に、画像データも記憶する。
【００３６】
図３は、その一例を示している。この図に示すように、００１〜００５のオリジナルプレイリストＰＬには、図２に示す、自車位置、日時、天気に関連する、自車位置画像、日時画像、天気画像のアドレスに、それぞれ画像データ（ＪＰＥＧ）が記憶されている。
【００３７】
すなわち、本実施例１で示す００１〜００５のオリジナルプレイリストＰＬは、それぞれ車両周辺情報に基づいて作成されたものであり、各オリジナルプレイリストＰＬには、それぞれ車両周辺情報と画像データとが記憶されている。
【００３８】
さらに、ＣＰＵ７は、オリジナルプレイリストＰＬに関する情報を外部記憶媒体５に書き出す情報持出処理を実行する。
そこで、この情報持出処理における動作の流れを図４のフローチャートに基づいて説明する。なお、この情報持出処理を実行するプログラムは、工場出荷時にあらかじめインストールしておいてもよいが、工場出荷後に、ＣＤあるいは外部記憶媒体５に記憶されているプログラムを読み込むこともできる。
【００３９】
また、この情報持出処理の動作開始の前提条件としては、あらかじめオーディオ装置Ａにおいて作成されたオリジナルプレイリストＰＬが、第１内蔵記憶媒体４もしくはＲＡＭ９に存在していることとする。
【００４０】
ステップＳ１では、オリジナルプレイリストＰＬに関する情報である書込用プレイリスト情報の作成を開始する。この作成の開始は、ユーザが、表示部２に配置された入力部１としてのタッチパネルもしくはボタンの操作により指令が送られることで行われる。具体的には、図２に示す００１〜００５のオリジナルプレイリストＰＬが存在する場合、表示部２にこれらを表示し、ユーザが指定した１つあるいは複数のオリジナルプレイリストＰＬについて、その書込用プレイリスト情報を作成する。
【００４１】
次のステップＳ２およびステップＳ３では、指定されたオリジナルプレイリストＰＬに対応した車両周辺情報を取得し、さらに、これに対応した画像データが存在する場合には、それを付加する。
すなわち、指定されたオリジナルプレイリストＰＬに、車両周辺情報およびこれに対応された画像データがあるか否か検索し、図２および図３に示すように、これらのデータが存在する場合には、書込用プレイリスト情報として付加する。
【００４２】
次のステップＳ４では、指定されたオリジナルプレイリストＰＬの選曲順に１曲（１トラック）ずつ書込用プレイリスト情報を作成し、その際、１曲ごとに、ＴＯＣ（Table of contents）情報、親フォルダ名およびファイル名、ＴＡＧ名を付加する。
【００４３】
図５は、この書込用プレイリスト情報の一例を示している。この図に示す００１のプレイリストＰＬでは、５曲の情報が登録されており、各曲ごとに、ＴＯＣ（Table of contents）情報、フォルダおよびファイル名、ＴＡＧ名が付加されているのが分かる。
【００４４】
ここで、図５に示す例を見ると、トラックNo.０００１と０００４が、同じＣＤに録音されたもので、トラックNo.０００１がそのＣＤの２曲目に録音され、トラックNo.０００４がそのＣＤの５曲目に録音されていることが分かる。同様に、トラックNo.０００３と０００５とが、同じＣＤに録音されており、前者が１曲目に録音されており後者が１２曲目に録音されていることも分かる。
【００４５】
次のステップＳ５では、指定されたオリジナルプレイリストＰＬについて、その全曲に対して書込用プレイリスト情報が取得されたか否か判定し、全曲について取得された場合には、ステップＳ６に進んで、ＣＰＵ７は、この書込用プレイリスト情報を、外部記憶媒体５へ書き込むように命令を送る。そして、書き込みが終わったら、作業を終了する。
【００４６】
次に、上述のようにして、外部記憶媒体５に書き込んだ書込用プレイリスト情報を、外部機器（オーディオ装置）Ｂで読み込ませ、外部機器Ｂ内にプレイリストを作成するまでの処理（読込処理、照合処理、外部プレイリスト作成処理および不一致表示処理）の流れを、図６のフローチャートにより説明する。
なお、この外部機器Ｂは、図１に示すオーディオ装置Ａと同様の構成を有しているものとするが表示部２２を除いて図示は省略する。
【００４７】
また、ここでは、外部記憶媒体５としてＳＤカードを用いるものとする。また、外部機器Ｂとしては、ＳＤカードのインタフェースを持ち、かつ音楽再生機能および書込用プレイリスト情報の読み込み機能を持つソフトウェア（以下、音楽再生ソフトと呼ぶ）をインストールしてあるパーソナルコンピュータとする。なお、この音楽再生ソフトのインストールは、そのプログラムが記憶されたＣＤなどの記憶媒体から読み込むことで成されている。
【００４８】
まず、書込用プレイリスト情報が書き込まれたＳＤカードを外部機器Ｂに差し込んで外部記憶媒体５を認識させる（ステップＳ１１）。
【００４９】
次に、読込処理を実行する。
この読込処理では、音楽再生ソフトを立ち上げて書込用プレイリスト情報の読み込みを開始させる（ステップＳ１２）。
この読み込みにおいて、まず、この書込用プレイリスト情報に付加されている車両周辺情報と、これに関連した画像データを取得する（ステップＳ１３，Ｓ１４）。
【００５０】
次に、書込用プレイリスト情報に書き込まれているプレイリスト情報、すなわち、ＴＯＣ情報、親フォルダ名およびファイル名、ＴＡＧ情報を、トラック順に１曲ずつ読み込む（ステップＳ１５）。
【００５１】
次に、照合処理を実行する。
すなわち、読み込んだ各情報を、外部機器Ｂの音楽再生ソフトが管理している音楽データと比較する（ステップＳ１６）。
そして、この比較において、これらの情報のうちいずれか１つでも一致した楽曲（トラック）が存在する場合は（ステップＳ１７）、車載のオーディオ装置Ａで作成したオリジナルプレイリストＰＬの曲が、外部機器Ｂの中に存在しているとみなし、その曲を音楽再生ソフト上のプレイリストとして登録するプレイリスト作成処理を実行する（ステップＳ１８）。なお、この外部機器Ｂで、書込用プレイリスト情報に基づいて作成したプレイリストを、以下、外部プレイリストと称する。
【００５２】
一方、外部機器Ｂ内に情報が一致する楽曲（トラック）が存在しない場合には、オーディオ装置Ａで作成したプレイリストＰＬ中の曲が、この外部機器Ｂ内に存在しないと判定して、外部機器Ｂの音楽再生ソフトの外部プレイリストに登録しないとともに、一致しない楽曲（トラック）として認定する（ステップＳ２０）。
【００５３】
書込用プレイリスト情報の全曲（全トラック）に対して、ステップＳ１５〜Ｓ２０の処理が実行されたか否か判定し、全曲について実行されていない場合には、ステップＳ１５からの処理を繰り返し、全曲について処理が終了したら（ステップＳ１９）、ステップＳ２０において一致しないと認定された楽曲（トラック）名を表示部２２において表示する不一致表示処理を実行する（ステップＳ２１）。
以上で、読込処理、照合処理、外部プレイリスト作成処理、不一致表示処理を終了する。
【００５４】
なお、上述のオーディオ装置Ａからの書込用プレイリスト情報の読み込みから外部プレイリストの作成までの処理は、１つの書込用プレイリスト情報により１つの外部プレイリストを作成する場合について説明したが、複数の書込用プレイリスト情報から複数の外部プレイリストを作成することも可能である。
【００５５】
次に、外部機器Ｂにおいて作成された外部プレイリストを検索して音楽再生を行う処理である外部プレイリスト再生処理の流れを図７のフローチャートに基づき説明する。
なお、以下の、外部プレイリスト再生処理の流れの説明は、オーディオ装置Ａから読み込んだ複数の書込用プレイリスト情報に基づいて複数の外部プレイリストを作成し、その一覧のうちから１つの外部プレイリストを選択し、選択された外部プレイリストの曲順で再生を行わせる場合について説明する。
【００５６】
外部プレイリストの検索開始時には、まず、車両周辺情報に対応した画像データがあるか否か判定し（ステップＳ２１）、画像データが存在するものには、その画像データを表示部２２において一覧表示させる（ステップＳ２２）。一方、画像データが存在しないものについては、テキストのみ表示させる（ステップＳ２３）。
【００５７】
そこで、ユーザは、表示部２２の画像データおよび車両周辺情報のテキストデータの一覧表示を見て、表示された複数の外部プレイリストから任意の外部プレイリストを選択する（ステップＳ２４）。
【００５８】
次に、外部プレイリストの選択が行われたら、この外部プレイリストに関して書込用プレイリスト情報から取得した情報の読み込みを開始する（ステップＳ２５）。
【００５９】
この選択された外部プレイリストについて、車両周辺情報に対応した画像データがあるか否か判定し（ステップＳ２６）、画像データが存在する場合、車両周辺情報を表示する（ステップＳ２７）とともに、この車両情報に対応した画像データを全体表示し（ステップＳ２８）する。その後、外部プレイリストの再生順序で楽曲（トラック）の再生を開始する（ステップＳ２９）。
一方、外部プレイリスト情報に、その外部プレイリストに関連した画像データが存在しない場合には、車両周辺情報および画像データの表示を行うことなく、曲の再生を行う（ステップＳ２６→Ｓ２９）。
【００６０】
以上説明したように、本実施例１では、車載のオーディオ装置Ａで作成したオリジナルプレイリストＰＬに関する情報である書込用プレイリスト情報を外部記憶媒体５に記憶させて、車外に持ち出せるようにした。
このため、従来のように、車内で聞いたオリジナルプレイリストＰＬの内容を、いちいち書き写す必要が無く、特に、車両周辺情報に基づいてオリジナルプレイリストＰＬを作成するような、自宅で再現するのが困難なプレイリストも、容易に自宅で再現することができる。
しかも、外部記憶媒体５に書き込ませるのは、楽曲データではなく、オリジナルプレイリストＰＬに関するＴＯＣ情報やＴＡＧ情報などであるため、書き込みに要する時間を短くできるとともに、著作権を侵害することもない。
【００６１】
さらに、本実施例１では、外部記憶媒体５に記憶された書込用プレイリスト情報に基づいて、外部機器Ｂにおいて、外部プレイリストを作成し、この作成した外部プレイリストに基づいて音楽を再生可能とした。
このため、自宅で、外部プレイリストを改めて作成することなく、気に入ったオリジナルプレイリストＰＬに従って、簡単に再生することができる。
【００６２】
これにより、車内で気に入ったオリジナルプレイリストＰＬを、いつでもどこでも、再生することができる。
【００６３】
加えて、本実施例１では、書込用プレイリスト情報として、１曲ごとに、ＴＯＣ情報、親フォルダ名およびファイル名、ＴＡＧ情報を付加するようにした。そして、外部機器Ｂにおいて、照合時には、外部機器Ｂに記憶された楽曲のうちで、これらと１つでも共通していれば、同じ楽曲（トラック）と見なすようにした。
このため、同じ音源から録音した楽曲を高い精度で検索することができる。
【００６４】
また、本実施例１では、外部機器Ｂにおいて、書込用プレイリスト情報に一致する楽曲（トラック）が存在しない場合には、表示部２２においてこれを表示するようにした。これにより、ユーザは、車載のオーディオ装置Ａに録音され、かつオリジナルプレイリストＰＬに登録された楽曲が、外部機器Ｂの内部に存在していないことを認識できる。
よって、ユーザは、音源から外部機器Ｂに録音し直すなどの対応をとることが可能になり、不一致の楽曲を表示しないものと比較して、使い勝手に優れる。
【００６５】
しかも、本実施例１では、書込用プレイリスト情報として、オリジナルプレイリストＰＬを作成する際の車両周辺情報およびこれに関連した画像データも含むようにし、外部機器Ｂで再生する際には、そのオリジナルプレイリストＰＬが画像データを有している際には、この画像データおよび車両周辺情報のテキストデータを一覧表示させるようにした。
よって、ユーザは、オリジナルプレイリストＰＬを作成したときの車両周辺情報を、容易に読取ることができ、例えば、外部プレイリストのナンバーのみを表示するのと比較して、希望の外部プレイリストの選択が容易となり、操作性に優れる。
【００６６】
さらに、作成した外部プレイリストによる音楽再生時には、その書込用プレイリスト情報から取得した画像データが存在する場合には、その画像データを全画面表示するようにした。
このため、ユーザは、音楽を聞きながらオリジナルプレイリストＰＬを作成した時の画像を楽しみ、車両を走らせていたときの臨場感を提供することができる。
【実施例２】
【００６７】
次に、本発明の実施の形態の実施例２のオーディオ装置を説明する。
この実施例２は、前記実施例１の変形例であるので、相違点のみを説明する。
【００６８】
図８は、外部機器Ｂにおいて、書込用プレイリスト情報を読み込んでプレイリストを作成する動作の流れを示すフローチャートである。
【００６９】
この実施例２において、実施例１との相違点は、外部機器Ｂにおいて、書込用プレイリスト情報に一致する楽曲（トラック）が存在しない場合、これを表示することなく処理を終えるようにした例である。
【００７０】
したがって、ステップＳ１７において、一致するトラックが存在しない場合には、ステップＳ１９の処理に進む。
【００７１】
以上、図面を参照して、本発明の実施の形態および実施例１，２を詳述してきたが、具体的な構成は、この実施の形態および実施例１，２に限らず、本発明の要旨を逸脱しない程度の設計的変更は、本発明に含まれる。
【００７２】
すなわち、実施例１，２では、外部機器Ｂとして、パーソナルコンピュータを示したが、これに限定されるものではない。例えば、外部機器として、携帯式のオーディオ装置などが考えられる。この場合、この外部機器と外部記憶手段とを同一のもので構成することができ、このようにした場合、書込用プレイリスト情報を、外部記憶手段として携帯式のオーディオ装置に書き込んだ時点で、このオーディオ装置に、読込処理を即座に実行させることができ、ユーザにとっては、書き込みと読み込みとの２つの操作をする必要がなく、使い勝手が高まる。
【００７３】
また、実施例１，２では、オーディオ装置Ａにおいて、プレイリストを作成するにあたり、ユーザの設定情報に基づいて作成する手法と、車両周辺情報に基づいて作成する手法とを併用する手段を示したが、これに限定されるものではなく、少なくとも１つの手法でプレイリストを作成するものであればよい。この場合、前述の２つの手法のいずれか一方の手動で作成するものでもよいし、あるいは、これら２つの手法以外の手法で作成するものでもよい。
【００７４】
このように、車両周辺情報に基づかずにプレイリスト作成処理を実行するオーディオ装置にあっては、情報持出処理において、車両周辺情報および画像データの取得が不要となる。この場合の情報持出処理の動作の一例を図９に示す。
なお、図９に示すフローチャートの各処理は、図４に示した実施例１の情報持出処理の処理と同様のものに同じステップ符号を付けて、説明は省略する。
【００７５】
また、実施例１，２では、オーディオ装置として、車載のオーディオ装置Ａと、外部機器Ｂとしての自宅のパーソナルコンピュータとを示したが、これに限定されるものではない。例えば、車載のオーディオ装置間で、プレイリストの持ち出しおよび読み込みを行うようにしてもよいし、あるいは、パーソナルコンピュータ間で、プレイリストの持ち出しおよび読み込みを行うようにしてもよい。
【図面の簡単な説明】
【００７６】
【図１】本発明の実施の形態の実施例１のオーディオ装置Ａの構成を示すブロック図である。
【図２】本発明の実施の形態の実施例１のオーディオ装置Ａにおけるプレイリストと、このプレイリストを作成するのに用いられた車両周辺情報との関係を示す説明図である。
【図３】本発明の実施の形態の実施例１のオーディオ装置Ａにおけるプレイリストの作成に用いた車両周辺情報と画像データとの関係を示す説明図である。
【図４】本発明の実施の形態の実施例１のオーディオ装置Ａの情報持出処理における動作の流れを示すフローチャートである。
【図５】本発明の実施の形態の実施例１のオーディオ装置Ａの書込用プレイリスト情報を示す説明図である。
【図６】本発明の実施の形態の実施例１の外部機器Ｂにおいて、外部記憶媒体５に記憶された書込用プレイリスト情報に基づいて、外部機器Ｂ内にプレイリストを作成するまでの処理である読込処理、照合処理、プレイリスト作成処理および不一致表示処理を実行する際の動作の流れを示すフローチャートである。
【図７】本発明の実施の形態の実施例１の外部機器Ｂにおいて作成されたプレイリストを検索して音楽再生を行う場合の再生処理の動作の流れを示すフローチャートである。
【図８】本発明の実施の形態の実施例２の外部機器Ｂにおいて、外部記憶媒体５に記憶された書込用プレイリスト情報に基づいて、外部機器Ｂ内にプレイリストを作成するまでの処理である読込処理、照合処理、プレイリスト作成処理を実行する際の動作の流れを示すフローチャートである。
【図９】本発明の実施の形態の他の例の情報持出処理の動作の流れを示すフローチャートである。
【符号の説明】
【００７７】
２     表示部（表示手段）
４     第１内蔵記憶媒体（内蔵記憶手段）
５     外部記憶媒体（外部記憶手段）
７      ＣＰＵ（制御手段）
１１   車両周辺情報取得部
Ａ     オーディオ装置
Ｂ     外部機器（外部オーディオ装置）
ＰＬ   プレイリスト
【図１】
2008077745.tif 000003
【図２】
2008077745.tif 000004
【図３】
2008077745.tif 000005
【図４】
2008077745.tif 000006
【図５】
2008077745.tif 000007
【図６】
2008077745.tif 000008
【図７】
2008077745.tif 000009
【図８】
2008077745.tif 000010
【図９】
2008077745.tif 000011